(57)【要約】【課題】  足に傷害を持つ人の拘縮した指先を回復するのに使用し、容易に装着でき、指の重なりを防止でき、かつ脱落のし難い布製足指矯正具を提供することを目的としている。【解決手段】健常な人の足裏形状に裁断した吸水性の良い足裏肌面布地の足指根元部に、足指根元形状に合わせて、円弧状に縫製されているふくらみ突起、および、第１指と第２指間挿嵌用の大きなふくらみ突起と３本の指間挿嵌用突起を縫製突設し、足裏肌面布地とふくらみを一体とした足裏肌面布地をつくり、健常な人の足裏形状に合わせて裁断した足床裏生地と、足裏肌面布地の周囲に合わせてくりぬき裁断したやわらかく伸びやすい保護カバー布地をつくり、足裏肌面有地と足床裏生地と保護カバー布地を合わせて縫製することを特徴とする足先用布製指矯正具。【選択図】  図２
2006087881.tif 000002
【特許請求の範囲】
【請求項１】
健常な人の足裏形状に裁断した吸水性の良い足裏肌面布地の足指根元部に、足指根元形状に合わせて、円弧状に縫製されているふくらみ突起、および、第１指と第２指間挿嵌用の大きなふくらみ突起と３本の指間挿嵌用突起を縫製突設し、足裏肌面布地とふくらみを一体とした足裏肌面布地をつくり、健常な人の足裏形状に合わせて裁断した足床裏生地と、足裏肌面布地の周囲に合わせてくりぬき裁断したやわらかく伸びやすい保護カバー布地をつくり、足裏肌面布地と足床裏生地と保護カバー布地を合わせて縫製することを特徴とする足先用布製指矯正具。
【請求項２】
請求項１での第１指と第２指間挿嵌用のふくらみ突起の大きさとして、第１指と第２指間の隙間を充足する程度の大きさとする足先用布製指矯正具。
【発明の詳細な説明】
【技術分野】
【０００１】  本発明は、足に障害を持つ人の拘縮した指先を回復するために使用する布製足矯正具に関するものである。
【背景技術】
【０００２】  脳傷害等の疾病により、足先が拘縮すると、指が開き難く、第１指（親指）、第２指（人差し指）、第３指（中指）、第４指（薬指）、第５指（小指）が足裏側に折れ曲がるようになり、さらに、第１指（親指）が第２指側に倒れ、第２指の爪で第１指（親指）の足指を傷つける恐れがある。さらに、拘縮状態が続くと、むれにより、第２指と第３指、第３指と第４指、第４指と第５指の３ヶ所の指間および足裏側に折れ曲がる第１指、第２指、第３指、第４指、第５指と足裏間が汗疱状態になり、悪臭を放つようになる恐れがある。
このように拘縮した足先の回復するものとして、突起が１つで親指と他の４指とを分ける外反母趾防止用靴下や、むれにより、指間が汗疱状態になり、悪臭を放つようになるのを防止するためのものとして、５指を別々に分ける５本指靴下や指間挿入グッズがあるが、これらは、親指が人差し指側に倒れ込み変形するのを防ぐことは難しく、足指型通りに突起部分が並んでいないため、装着も難しいものであり、第１指、第２指、第３指、第４指、第５指と足裏間を開けるものでもなかった。【０００３】
【特許文献１】特許第３０９９１９２号
【非特許文献１】５本指靴下カタログ
【非特許文献２】指間挿入健康グッズカタログ
【発明の開示】
【発明が解決しようとする課題】
【０００４】    脳梗塞などにより拘縮した足先を回復させるには、第１指、第２指、第３指、第４指、第５指の根本と足裏間を開け、第１指と第２指の間を大きく開けるとともに、第２指と第３指、第３指と第４指、第４指と第５指の３ヶ所の指間を開けることができるもので、寝たきりの方でもスムーズに履かせることができ、足先の保温も行え、汗の吸収が良い布製足指矯正具が必要である。
【課題を解決するための手段】
【０００５】  前記課題を達成するために、健常な人の足裏形状に裁断した吸水性の良い足裏肌面布地の足指根元部に、足指根元形状に合わせて、円弧状に縫製されているふくらみ突起、および、第１指と第２指間挿嵌用の大きなふくらみ突起と３本の指間挿嵌用突起を縫製突設し、足裏肌面布地とふくらみを一体とした足裏肌面布地をつくり、健常な人の足裏形状に合わせて裁断した足床裏生地と、足裏肌面布地の周囲に合わせてくりぬき裁断したやわらかく伸びやすい保護カバー布地をつくり、足裏肌面布地と足床裏生地と保護カバー布地を合わせて縫製することを特徴とする足先用布製指矯正具である。
【発明の効果】
【０００６】  指間に指間挿嵌用突起部分を挟み込む方式であり、保護カバーには、やわらかく伸びやすいニットパイルなどの生地を使用するため、足の大きさの若干の大小に係わらず、足の保温に必要な高さへ、容易に装着でき、足に障害を持つ人の拘縮した足先の回復に役立つ。【０００７】  第１指と第２指間には、立体縫製などにより、第１指と第２指間の隙間を充足する程度の大きさの大きなふくらみとした指間挿嵌用突起を突設、第２指と第３指、第３指と第４指、第４指と第５指の３ヶ所の指間には、小さなふくらみの指間挿嵌用突起を突設させ、各指間に指間挿嵌用突起部分を挟み込む方式であり、各指に痛みを生じさせない程度で、指の重なりを防止でき、第２指の爪で第１指（親指）の足指を傷つけず、脱落し難い構成となっている。【０００８】  足裏面や指間挿嵌用突起、足指根本部の突起には、吸水性、吸湿性に優れるタオル地などの生地を使用するので、第１指と第２指、第２指と第３指、第３指と第４指、第４指と第５指の４ヶ所の指間や第１指、第２指、第３指、第４指、第５指と足裏間が汗疱状態になり、悪臭を放つようになるのを防ぐ。【０００９】  予め、カテキンなどにより抗菌防臭、消臭加工を施すと、悪臭がなく、心地が良い。【００１０】  足指間形状に合わせて指間突起ふくらみを縫製しており、装着が簡単にできる。
【発明を実施するための最良の形態】
【００１１】  健常な人の足裏形状、たとえば、成人女性では、足長２３．５ｃｍ、足幅９．１ｃｍに裁断した吸水性の良い足裏肌面布地の足指根元部に、足指根元形状に合わせて、第２指付け根を中心に、５ｃｍ程度まで、円弧状に縫製されているふくらみ突起、および、第１指と第２指間に、タオル生地を使用して３層の立体構成とし、第１指と第２指間の大きさの大きなふくらみとする指間挿嵌用突起を縫製突設、第２指と第３指、第３指と第４指、第４指と第５指の３ヶ所の指間には、タオル生地を使用して２面の小さなふくらみの指間挿嵌用突起を縫製突設し、足裏肌面布地とふくらみを一体とした足裏肌面布地をつくり、健常な人の足裏形状に合わせて裁断した綿ニット生地を使用した足床裏生地と、足裏肌面布地の周囲に合わせてくりぬき裁断したやわらかく伸びやすいニットパイル生地を使用した保護カバー布地をつくり、足裏肌面布地と足床裏生地と保護カバー布地を合わせて縫製することを特徴とする足先用布製指矯正具。上記の健常な人の足裏形状は、生命工学工業技術研究所研究報告  特集  設計のための人体寸法データ集  Ｖｏｌ，２  Ｎｏ．１（１９９４）のデータを用いた。
【実施例】
【００１２】  図１の布製足指矯正具を拘縮した不自由な足先に装着するときは、まず、図２、図３に示すように保護カバーを裏返し、足を足裏肌面布地にのせ、図４に示すように、足裏肌面布地の第１指と第２指間の指間挿嵌用突起を、第１指と第２指間に挿嵌する。次に、第２指と第３指の指間挿嵌用突起、第３指と第４指の指間挿嵌用突起、第４指と第５指の指間挿嵌用突起を、順次、各指間に挿嵌すると、図５に示すように、各足指が矯正されるとともに、足指根元部ふくらみに足裏根元部が乗る。
つぎに、図６、図７に示すように、保護カバーを表返し、図８、図９に示すように、足先および足の必要な高さまでかぶせる。【００１３】  保護カバー布地を長くし、図１０に示すように、足の保温位置を高くすることもできる。【００１４】  保護カバー布地には、ニットパイルの代わりに、ソフトデニムや毛糸、綿糸のゴム編み生地などを用いることもできる。【００１５】  足裏肌面布地、指根元突起、指間挿嵌用突起、保護カバー布地は、予め、カテキンなどにより抗菌防臭、消臭加工を施すことができる。【００１６】  足床裏生地として、デニムや皮革も使用できる。
【産業上の利用可能性】
【００１７】  脳梗塞などにより拘縮した足先を回復させる布製足指矯正具
【図面の簡単な説明】
【００１８】
【図１】足先までの保護カバー付き布製足指矯正具
【図２】保護カバー裏返した状態の布製足指矯正具
【図３】図２の布製足指矯正具に足を乗せようとしている状態
【図４】第１指と第２指間の指間挿嵌用突起を第１指と第２指間の指間に挿嵌しようとしている状態
【図５】指間突起を各指間に挿嵌し、足指根元部の突起に、足を乗せた状態を、上から見た。
【図６】指間突起を各指間に挿嵌し、足指根元部の突起に、足を乗せた状態を、第１指の横側から見た。
【図７】保護カバーを表返し、足先にかぶせようとしている状態を、第１指の横側から見た。
【図８】保護カバーを表返し、足先にかぶせた状態を、第１指の横側から見た。
【図９】保護カバーを表返し、足先にかぶせた状態を、上から見た図
【図１０】図１の保護カバーを長くし足の保温位置を高くした布製足指矯正具
【符号の説明】
１  保護カバー
２  足裏肌面布地
３  第１指と第２指の指間挿嵌用突起
４  第２指と第３指の指間挿嵌用突起
５  第３指と第４指の指間挿嵌用突起
６  第４指と第５指の指間挿嵌用突起
７  足指根元部の突起
８  足裏床生地
【図１】
2006087881.tif 000003
【図２】
2006087881.tif 000004
【図３】
2006087881.tif 000005
【図４】
2006087881.tif 000006
【図５】
2006087881.tif 000007
【図６】
2006087881.tif 000008
【図７】
2006087881.tif 000009
【図８】
2006087881.tif 000010
【図９】
2006087881.tif 000011
【図１０】
2006087881.tif 000012